【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  伝送チャンネルを介して受信機に結合された送信機を有する伝送システムであって、前記送信機がソースシンボルをコード化シンボルにコード化する主チャンネルエンコーダを備え、前記受信機が前記伝送チャンネルから受信した前記コード化シンボルから再生ソースシンボルを導出する主チャンネルデコーダを備え、前記伝送システムが、前記主チャンネルエンコーダ及び前記主チャンネルデコーダの、一つ以上のコード化特性を設定するためのコード化特性設定手段を有する伝送システムにおいて、
前記送信機が、前記主チャンネルエンコーダの前記一つ以上のコード化特性をコード化する副チャンネルエンコーダを有し、前記送信機が、コード化された前記一つ以上のコード化特性を前記受信機に送信し、
前記受信機が、コード化された前記一つ以上のコード化特性をデコードすることにより、一つ以上のコード化特性を得る副チャンネルデコーダを有し、該受信機が、デコードされた前記一つ以上のコード化特性に従って、前記主チャンネルデコーダの前記一つ以上のコード化特性を設定することを特徴とする伝送システム。
【請求項２】  請求項１に記載の伝送システムにおいて、前記副チャンネルエンコーダが、エラー訂正コード化を行うものであることを特徴とする伝送システム。
【請求項３】  請求項２に記載の伝送システムにおいて、前記主チャンネルエンコーダもまた、エラー訂正コード化を行うものであることを特徴とする伝送システム。
【請求項４】  請求項１から３いずれか１項に記載の伝送システムにおいて、前記副チャンネルエンコーダはブロックエンコーダであり、前記副チャンネルデコーダはブロックデコーダであることを特徴とする伝送システム。
【請求項５】  請求項１から４いずれか１項に記載の伝送システムにおいて、前記コード化シンボルがフレームに配列され、前記送信機がコード化された前記一つ以上のコード化特性を少なくとも２つの部分に分離し、前記少なくとも２つの部分を、連続するフレームで送信することを特徴とする伝送システム。
【請求項６】  請求項１から５いずれか１項に記載の伝送システムにおいて、前記伝送システムは、前記受信機における前記主チャンネルデコーダから伝送品質尺度を導出する伝送品質決定手段と、さらなる伝送チャンネルを介して前記品質尺度を前記送信機へ送信する手段と、を有することを特徴とする伝送システム。
【請求項７】  ソースシンボルをコード化シンボルへコード化する主チャンネルエンコーダと、前記主チャンネルエンコーダの一つ以上のコード化特性を設定する特性設定手段と、を有する送信機において、
該送信機が、前記主チャンネルエンコーダの前記一つ以上のコード化特性をコード化する副チャンネルエンコーダを有し、前記送信機がコード化された前記一つ以上のコード化特性を送信することを特徴とする送信機。
【請求項８】  請求項７に記載の送信機において、前記副チャンネルエンコーダが、エラー訂正コード化を行うものであることを特徴とする送信機。
【請求項９】  請求項８に記載の送信機において、前記主チャンネルエンコーダもまた、エラー訂正コード化を行うものであることを特徴とする送信機。
【請求項１０】  請求項７から９いずれか１項記載の送信機において、前記副チャンネルエンコーダはブロックエンコーダであることを特徴とする送信機。
【請求項１１】  請求項７から１０いずれか１項に記載の送信機において、前記コード化シンボルがフレームに配列され、前記送信機がコード化された前記一つ以上のコード化特性を少なくとも２つの部分に分離し、前記少なくとも２つの部分を、連続するフレームで送信することを特徴とする送信機。
【請求項１２】  請求項７から１１いずれか１項に記載の送信機において、さらなる伝送チャンネルを介して伝送品質尺度を受信するように構成されていることを特徴とする送信機。
【請求項１３】  ソースシンボルをコード化シンボルへとコード化する主チャンネルエンコーダと、該主チャンネルエンコーダの一つ以上のコード化特性を設定する特性設定手段と、を有するＩＣにおいて、
該ＩＣは、前記主チャンネルエンコーダの前記一つ以上のコード化特性をコード化する副チャンネルエンコーダを有し、該ＩＣがコード化された前記一つ以上のコード化特性を送信することを特徴とするＩＣ。
【請求項１４】  請求項１３に記載のＩＣにおいて、前記副チャンネルエンコーダが、エラー訂正コード化を行うものであることを特徴とするＩＣ。
【請求項１５】  請求項１４に記載のＩＣにおいて、前記主チャンネルエンコーダもまた、エラー訂正コード化のためのものであることを特徴とするＩＣ。
【請求項１６】  請求項１３から１５いずれか１項に記載のＩＣにおいて、前記副チャンネルエンコーダはブロックエンコーダであることを特徴とするＩＣ。
【請求項１７】  請求項１３から１６いずれか１項に記載のＩＣにおいて、前記コード化シンボルがフレームに配列され、前記ＩＣがコード化された前記一つ以上のコード化特性を少なくとも２つの部分に分離し、前記少なくとも２つの部分を、連続するフレームで送信することを特徴とするＩＣ。
【請求項１８】  請求項１３から１７いずれか１項に記載のＩＣにおいて、さらなる伝送チャンネルを介して伝送品質尺度を受信するように構成されていることを特徴とするＩＣ。
【請求項１９】  ソースシンボルをコード化シンボルにコード化する主コード化処理の一つ以上のコード化特性を設定するステップと、
前記ソースシンボルを前記コード化シンボルにコード化する前記主コード化処理を行うステップと、
前記一つ以上のコード化特性をコード化する副コード化処理を行うステップと、
前記コード化シンボル、及び前記副コード化処理がなされた前記一つ以上のコード化特性を、伝送チャンネルを介して送信するステップと、
前記コード化シンボル、及び前記副コード化処理がなされた前記一つ以上のコード化特性を、前記伝送チャンネルから受信するステップと、
前記副コード化処理がなされた前記一つ以上のコード化特性を、副デコード処理を用いてデコードするステップと、
受信されデコードされた前記一つ以上のコード化特性に従って、主デコード処理の一つ以上のコード化特性を設定するステップと、
前記伝送チャンネルから受信した前記主コード化処理がなされた前記コード化シンボルから、前記主デコード処理により、再生ソースシンボルを導出するステップと、を有することを特徴とする伝送方法。
【請求項２０】  請求項１９に記載の伝送方法において、前記副コード化処理が、エラー訂正コード化であることを特徴とする伝送方法。
【請求項２１】  請求項２０に記載の伝送方法において、前記主コード化処理もまた、エラー訂正コード化であることを特徴とする伝送方法。
【請求項２２】  受信したコード化シンボルから再生ソースシンボルを導出する主チャンネルデコーダと、前記主チャンネルデコーダの一つ以上のコード化特性を設定するコード化特性設定手段とを有する受信機において、
該受信機が、受信したコード化されたコード化特性をデコードすることにより、一つ以上のコード化特性を、前記受信したコード化されたコード化特性から得る副チャンネルデコーダを有し、
前記受信機が、前記副チャンネルデコーダが得た前記一つ以上のコード化特性に従って、前記主チャンネルデコーダの前記一つ以上のコード化特性を設定することを特徴とする受信機。
【請求項２３】  請求項２２に記載の受信機において、前記副チャンネルデコーダが、エラー訂正デコードを行うものであることを特徴とする受信機。
【請求項２４】  請求項２３に記載の受信機において、前記主チャンネルデコーダもまた、エラー訂正デコードを行うものであることを特徴とする受信機。
【請求項２５】  請求項２２から２４いずれか１項に記載の受信機において、前記副チャンネルデコーダはブロックデコーダであることを特徴とする受信機。
【請求項２６】  請求項２２から２５いずれか１項に記載の受信機において、前記コード化シンボルがフレームに配列され、コード化された前記一つ以上のコード化特性が少なくとも２つの部分に分離され、前記受信機が、前記少なくとも２つの部分を、連続するフレームで受信することを特徴とする受信機。
【請求項２７】  請求項２２から２６いずれか１項に記載の受信機において、前記主チャンネルデコーダから伝送品質尺度を導出する伝送品質決定手段と、
さらなる伝送チャンネルを介して前記伝送品質尺度を送信する手段とを含むことを特徴とする受信機。
【請求項２８】  受信したコード化シンボルから再生ソースシンボルを導出する主チャンネルデコーダと、前記チャンネルデコーダの一つ以上のコード化特性を設定するコード化特性設定手段とを有するＩＣにおいて、
該ＩＣが、受信したコード化されたコード化特性をデコードすることにより、一つ以上のコード化特性を、前記受信したコード化されたコード化特性から得る副チャンネルデコーダを有し、
前記ＩＣが、前記副チャンネルデコーダが得た前記一つ以上のコード化特性に従って、前記主チャンネルデコーダの前記一つ以上のコード化特性を設定することを特徴とするＩＣ。
【請求項２９】  請求項２８に記載のＩＣにおいて、前記副チャンネルデコーダが、エラー訂正デコードを行うものであることを特徴とするＩＣ。
【請求項３０】  請求項２９に記載のＩＣにおいて、前記主チャンネルデコーダもまた、エラー訂正デコードを行うものであることを特徴とするＩＣ。
【請求項３１】  請求項２８から３０いずれか１項に記載のＩＣにおいて、前記副チャンネルデコーダはブロックデコーダであることを特徴とするＩＣ。
【請求項３２】  請求項２８から３１いずれか１項に記載のＩＣにおいて、前記コード化シンボルがフレームに配列され、コード化された前記一つ以上のコード化特性が少なくとも２つの部分に分離され、前記ＩＣが、前記少なくとも２つの部分を、連続するフレームで受信することを特徴とするＩＣ。
【請求項３３】  請求項２８から３２いずれか１項に記載のＩＣにおいて、前記主チャンネルデコーダから伝送品質尺度を導出する伝送品質決定手段と、
さらなる伝送チャンネルを介して前記伝送品質尺度を送信する手段とを含むことを特徴とするＩＣ。
【請求項３４】  受信したコード化されたコード化特性をデコードすることにより、一つ以上のコード化特性を、前記受信したコード化されたコード化特性から得るステップと、
得られた前記一つ以上のコード化特性に従って、チャンネルデコーダの一つ以上のコード化特性を設定するステップと、
前記チャンネルデコーダを用いて、受信したコード化シンボルから再生ソースシンボルを導出するステップとを有することを特徴とするデコード方法。
【請求項３５】  受信したコード化されたコード化特性をデコードすることにより、一つ以上のコード化特性を、前記受信したコード化されたコード化特性から得る処理、
得られた前記一つ以上のコード化特性に従って、チャンネルデコーダの一つ以上のコード化特性を設定する処理、および
前記チャンネルデコーダを用いて、受信したコード化シンボルから再生ソースシンボルを導出する処理を行うように構成されていることを特徴とする受信機。
【手続補正２】
【補正対象書類名】明細書
【補正対象項目名】００１９
【補正方法】変更
【補正の内容】
【００１９】
移動局６に伝送されるＲｄの値は、レート割当信号Ｒｕにより表される所定の系列のコード化特性をブロックエンコーダ１８、チャンネルエンコーダ１４及び音声エンコーダ１２に課することができる、コード化特性系列化手段１３により覆すことができることが分かる。この所定の系列は、伝送フレームに追加スペースを要することなく、移動局６に追加情報を伝送するために使用することができる。２以上の所定の系列のコード化特性を使用することが可能である。これら所定の系列のコード化特性の各系列は、別々の補助信号値に対応する。